(57)【要約】【課題】構造の複雑化や機器の大型化を招くことなく、機器本体に対してスライド可能かつ回動可能に支持される表示ユニットの内部に、機器本体と表示ユニットとを接続するフレキシブルプリント基板を配置する。【解決手段】ヒンジ機構３０にて機器本体１に設けられた表示ユニット２０の内部に配置され、機器本体１と表示ユニット２０とを接続するフレキシブルプリント基板６５は、表示ユニット２０とアームプレート３２との間で折り返される第１の折返し部６７ａと、表示ユニット２０の閉位置でフレキガイド部材７０の先端部を跨ぐように折り返される第２の折返し部６７ｂとを備え、第１および第２の折返し部６７ａ，６７ｂ間でフレキガイド部材７０に対して位置決め保持される。【選択図】図１１
2015141387.tif 000002
【特許請求の範囲】
【請求項１】
機器本体と、前記機器本体にヒンジ機構を介して閉状態でスライド可能かつスライド後に開閉方向に回動可能に設けられる表示ユニットと、前記機器本体と前記表示ユニットとを電気的に接続するフレキシブルプリント基板とを備える電子機器であって、
前記ヒンジ機構は、前記機器本体に対して開閉方向に回動可能に設けられるアームプレートと、前記表示ユニットを保持して、前記アームプレートに対してスライド移動可能に支持されるスライドプレートと、前記アームプレートに固定されて、先端部が前記アームプレートの回動軸の中心の近傍位置に配置されるフレキガイド部材と、を備え、
前記フレキシブルプリント基板は、前記表示ユニットと前記アームプレートとの間で折り返される第１の折返し部と、前記表示ユニットの閉位置で前記フレキガイド部材の先端部を跨ぐように折り返される第２の折返し部と、を備え、前記第１の折返し部と前記第２の折返し部との間で前記フレキガイド部材に対して位置決め保持されることを特徴とする電子機器。
【請求項２】
前記アームプレートの回動軸の中心と前記フレキシブルプリント基板の前記第２の折返し部が略同一位置に配置されることを特徴とする請求項１に記載の電子機器。
【請求項３】
前記ヒンジ機構は、前記機器本体の背面側に対して前記アームプレートの開閉方向と反対の開閉方向に回動可能に連結されるベースプレートを備え、
前記アームプレートは、前記ベースプレートに対して開閉方向に回動可能に連結されることを特徴とする請求項１又は２に記載の電子機器。
【請求項４】
前記フレキガイド部材は、合成樹脂材料によって形成されることを特徴とする請求項１乃至３のいずれか一項に記載の電子機器。
【請求項５】
前記フレキシブルプリント基板の前記第１の折返し部と前記第２の折返し部との間には、位置決め穴が形成され、前記位置決め穴に前記フレキガイド部材に形成された位置決めボスが嵌合されることで、前記フレキシブルプリント基板が位置決め保持されることを特徴とする請求項１乃至４のいずれか一項に記載の電子機器。
【発明の詳細な説明】
【技術分野】
【０００１】
本発明は、ヒンジ機構の内部にフレキシブルプリント基板が配線される例えばデジタルカメラ等の電子機器に関する。
【背景技術】
【０００２】
本体部の背面側にヒンジ部材を介して映像表示部を揺動自在に支持することが知られている。このヒンジ部材は、一端部が本体部の背面側の上方縁部に回動自在に支持されるとともに他端部が映像表示部に回動自在に支持されている。これによって、本体部に対して映像表示部の表示画面を上方側及び下方側に容易に傾斜させるとともに、本体部の前方側に映像表示部の表示画面を向けることができる（特許文献１）。
【先行技術文献】
【特許文献】
【０００３】
【特許文献１】特開平９−１６３１９１号公報
【発明の概要】
【発明が解決しようとする課題】
【０００４】
図１６は、本体に対して表示ユニット１２０が可動に支持されたデジタルカメラの一例の正面図及び側面図である。図１６（ａ），（ｃ）に示すように、デジタルカメラの本体１００の背面には、表示部９２ａを有する表示ユニット１２０が取り付けられている。
【０００５】
このデジタルカメラでは、図１６（ａ）に示すように、表示ユニット１２０を回動軸Ａから離れるように矢印Ｐ方向（延出方向）に引っ張り出して、表示ユニット１２０を回動軸Ａ回りに０〜１８０°の角度範囲で回転させることができるようになっている。図１６（ｂ），（ｃ）には、表示ユニット９２を１８０°回動させて、表示部１２１ａを本体１００の前方側に向けた状態が示されており、この状態では、撮影者が自身を液晶パネル１２１ａで確認しながら撮影を行う、所謂、自分撮りを容易に行うことができる。
【０００６】
しかし、図１６に示す構成では、表示ユニット１２０とカメラ本体１００とを電気的に接続するフレキシブルプリント基板を配線する際、表示ユニット１２０のスライド移動量と１８０°の回動量を吸収するための機構及びスペースが必要となる。このため、構造の複雑化や機器の大型化を招くことになる。
【０００７】
本発明の目的は、構造の複雑化や機器の大型化を招くことなく、機器本体に対してスライド可能かつ回動可能に支持される表示ユニットの内部に、機器本体と表示ユニットとを接続するフレキシブルプリント基板を配置した電子機器を提供することにある。
【課題を解決するための手段】
【０００８】
上記目的を達成するために、本発明は、機器本体と、前記機器本体にヒンジ機構を介して閉状態でスライド可能かつスライド後に開閉方向に回動可能に設けられる表示ユニットと、前記機器本体と前記表示ユニットとを電気的に接続するフレキシブルプリント基板とを備える電子機器であって、前記ヒンジ機構は、前記機器本体に対して開閉方向に回動可能に設けられるアームプレートと、前記表示ユニットを保持して、前記アームプレートに対してスライド移動可能に支持されるスライドプレートと、前記アームプレートに固定されて、先端部が前記アームプレートの回動軸の中心の近傍位置に配置されるフレキガイド部材と、を備え、前記フレキシブルプリント基板は、前記表示ユニットと前記アームプレートとの間で折り返される第１の折返し部と、前記表示ユニットの閉位置で前記フレキガイド部材の先端部を跨ぐように折り返される第２の折返し部と、を備え、前記第１の折返し部と前記第２の折返し部との間で前記フレキガイド部材に対して位置決め保持されることを特徴とする。
【発明の効果】
【０００９】
本発明によれば、構造の複雑化や機器の大型化を招くことなく、機器本体に対してスライド可能かつ回動可能に支持される表示ユニットの内部に、機器本体と表示ユニットとを接続するフレキシブルプリント基板を配置した電子機器を提供することができる。
【図面の簡単な説明】
【００１０】
【図１】（ａ）は本発明の電子機器の実施形態の一例であるデジタルカメラを正面側（被写体側）から見た斜視図、（ｂ）は（ａ）に示すデジタルカメラを背面側から見た斜視図である。
【図２】ヒンジ機構の分解斜視図である。
【図３】（ａ）は表示ユニットが閉時（通常撮影時）のヒンジ機構の状態を示す要部断面図、（ｂ）は（ａ）の状態から表示ユニットが所定角度回動した状態を示す要部断面図である。
【図４】図３（ａ）の状態から表示ユニットが１８０°回動した状態を示す要部断面図である。
【図５】表示ユニットとカメラ本体とを電気的に接続するフレキシブルプリント基板を示す平面図である。
【図６】カメラ本体の背面側から見たヒンジ機構と表示ユニットとの関係を示す分解斜視図である。
【図７】ヒンジ機構と表示ユニットとの関係を示す分解斜視図である。
【図８】表示ユニットが閉位置にあるときのカメラ本体を背面側から見た斜視図である。
【図９】（ａ）は図８の状態での表示ユニットの上側の断面図、（ｂ）は図８の状態での表示ユニットの下側の断面図である。
【図１０】表示ユニットが図８に示す閉位置から下方向にスライド移動した状態をカメラ本体の背面側から見た斜視図である。
【図１１】（ａ）は表示ユニットの図１０に示す位置での上側の断面図、（ｂ）は表示ユニットの図１０に示す位置での下側の断面図である。
【図１２】表示ユニットが図８に示す閉位置から略１８０°上方に回動した状態をカメラ本体の背面側から見た斜視図である。
【図１３】表示ユニットの図１２に示す位置での要部断面図である。
【図１４】表示ユニットが下側回動軸を中心に所定角度回動した状態をカメラ本体の背面側から見た図である。
【図１５】表示ユニットの図１４の位置での要部断面図である。
【図１６】本体に対して表示ユニットが可動に支持されたデジタルカメラを示す図である。
【発明を実施するための形態】
【００１１】
以下、図面を参照して、本発明の実施形態の一例を説明する。
【００１２】
図１（ａ）は本発明の電子機器の実施形態の一例であるデジタルカメラを正面側（被写体側）から見た斜視図、図１（ｂ）は図１（ａ）に示すデジタルカメラを背面側から見た斜視図である。
【００１３】
本実施形態のデジタルカメラは、図１（ａ）に示すように、カメラ本体１の正面側に鏡筒ユニット２が設けられる。図１では、鏡筒ユニット２が沈胴し、被写体側のレンズはレンズバリアによって保護された状態となっている。カメラ本体１は、本発明の機器本体の一例に相当する。
【００１４】
カメラ本体１を正面側から見て右上部には、カメラ本体１から上方に突出してストロボ光を照射射するポップアップ式のストロボユニット３が設けられている。カメラ本体１の底部には、電池蓋９が開閉可能に設けられている。また、カメラ本体１の上面部には、レリーズボタン４、ズームレバー５、電源ボタン６、マイク穴７、モード設定ダイヤル８及びアクセサリシュー１０が設けられている。
【００１５】
アクセサリシュー１０には、外付けのストロボ発光装置や光学式もしくは電子式の外付けファインダ等のアクセサリーが装着される。また、アクセサリシュー１０には、内部のコネクタを保護する為のシューカバー１０ａが取り付けられている。アクセサリシュー１０にアクセサリーを装着する際は、シューカバー１０ａをカメラ本体１の背面側に取り外してから装着する。
【００１６】
図１（ｂ）に示すように、カメラ本体１を背面側から見て右側の側部には、ジャックカバー１１を開閉可能に設けられている。ジャックカバー１１を開くことで、不図示の入出力用ジャックへの各種ケーブル類の抜き差しが可能となる。また、カメラ本体１の背面側には、各種操作ボタン群１２及び表示ユニット２０が設けられている。
【００１７】
表示ユニット２０は、カメラ本体１に対して後述するヒンジ機構３０（図２参照）を介して開閉方向（図の上下方向）に回動可能に、かつ閉状態で上下方向にスライド可能に支持されている。表示ユニット２０の表示装置２１は、保護窓２１ｂ、静電容量方式等のタッチパネル（不図示）及びＬＣＤ等の表示パネル（不図示）で構成されている。
【００１８】
図２は、ヒンジ機構３０の分解斜視図である。図２に示すように、ヒンジ機構３０は、カメラ本体１の上側及び下側にそれぞれ上側回動軸Ａ及び下側回動軸Ｂを有する。また、ヒンジ機構３０は、カメラ本体１の底部の左右両側にそれぞれ取り付けられる一対のスタンドプレート３８を有し、一対のスタンドプレート３８には、それぞれ下側回動軸Ｂの軸孔３８ｂが形成されている。
【００１９】
スタンドプレート３８を介してカメラ本体１の背面側にベースプレート３１が下側回動軸Ｂを中心にして開閉方向に回動可能に連結される。ベースプレート３１には、アームプレート３２が上側回動軸Ａを介してベースプレート３１の開閉方向と反対の開閉方向に回動可能に連結される。アームプレート３２は、閉状態でカメラ本体１の背面側にベースプレート３１に対して重なるように配置される。
【００２０】
支持ピン４０，４１は、それぞれ下側回動軸Ｂの軸孔３８ｂ、クリックプレート４２，４３、及びスペーサワッシャ４４，４５と共に、ベースプレート３１の軸孔３１ｂに挿入され、カシメ固定される。これにより、ベースプレート３１は、スタンドプレート３８に対して下側回動軸Ｂを中心にして回動可能に連結される。また、ベースプレート３１は、クリックプレート４２，４３から回動摩擦抵抗力を受け、各回動位置において摩擦保持が可能となっている。
【００２１】
支持ピン４６，４７は、それぞれ上側回動軸Ａの軸孔３１ａ、カバー部材２８，２９、クリックプレート４８，４９、及びスペーサワッシャ５０，５１と共に、アームプレート３２の軸孔３２ａに挿入され、カシメ固定される。これにより、アームプレート３２は、ベースプレート３１に対して上側回動軸Ａを中心として回動可能に連結される。アームプレート３２は、クリックプレート４８，４９から回動摩擦抵抗力を受け、各回動位置において摩擦保持が可能となっている。
【００２２】
カバー部材２８，２９は、支持ピン４６，４７に対して回動可能に嵌合支持されており、後述するように、表示ユニット２０の外装から一部露出している。カバー部材２８，２９の表示ユニット２０の外装からの露出部分は、表示ユニット２０の外装と同じ表面処理もしくは、シボ加工が施される。
【００２３】
スライドプレート３３は、表示ユニット２０を保持し、アームプレート３２の背面側でアームプレート３２に対して図の上下方向にスライド移動可能に支持される。スライドプレート３３の両端側には、略コ字形状のスライダ部材５２が設けられ、スライダ部材５２とアームプレート３２の両端部３２ｂが図の上下方向に摺動可能に嵌合される。
【００２４】
スライダ部材５２は、摺動性に優れた低摩擦の樹脂、例えばポリアセタール（ＰＯＭ）やポリアミド（ＰＡ）等で形成される。アームプレート３２の両端部３２ｂには、表面処理やオイル塗布がなされて、摺動性が確保される。
【００２５】
トーションばね３４は、アームプレート３２及びスライドプレート３３にそれぞれカシメられた係止ピン３５，３６に回転可能に掛止されており、アームプレート３２に対してスライドプレート３３を常に図の下方向に付勢している。
【００２６】
ストッパ部材３７は、スライドプレート３３に固定され、スライドプレート３３が所定量スライド移動すると、アームプレート３２にカシメ固定された係止ピン３５に当接して、スライドプレート３３のスライド移動を規制する。ストッパ部材３７は、係止ピン３５に当接した際の衝突音が軽減される樹脂、例えばポリアセタール（ＰＯＭ）やポリアミド（ＰＡ）等で形成される。
【００２７】
次に、図３及び図４を参照して、カバー部材２８の回動動作について説明する。図３（ａ）は、表示ユニット２０が閉時（通常撮影時）のヒンジ機構３０の状態を示す要部断面図である。図３（ａ）において、カバー部材２８は、ベースプレート３１の上側に位置し、この状態で上側回動軸Ａを中心に図の反時計回り方向（左方向）に回動可能とされている。カバー部材２８には、ストッパ部２８ａが形成されており、ベースプレート３１の突起部３１ｃと当接して、これ以上図の時計回り方向（右方向）に回動することができなくなっている。
【００２８】
ベースプレート３１の背面側（右側）には、表示ユニット２０の外装カバー２２が配置され、ベースプレート３１の正面側（左側）には、カメラ本体１の背面カバー８０が配置されている。背面カバー８０には、カバー部材２８が回動した際に干渉するのを防ぐための凹形状部８０ａが形成されている。
【００２９】
図３（ｂ）は、図３（ａ）の状態から表示ユニット２０が上側回動軸Ａを中心に開方向に所定角度回動した状態を示す要部断面図である。図３（ｂ）に示すように、回動軸Ａを中心としてアームプレート３２を図の反時計回り方向に所定角度（図では１２０°）回動させると、アームプレート３２の立ち曲げ部３２ｃがカバー部材２８に当接する。そして、この状態でアームプレート３２を表示ユニット２０とともに上側回動軸Ａを中心として図の反時計回り方向に回動させると、カバー部材２８がアームプレート３２とともに同方向に回動する。
【００３０】
図４は、図３（ａ）の状態から表示ユニット２０が上側回動軸Ａを中心に開方向に１８０°回動した状態を示す要部断面図である。図４に示すように、回動軸Ａを中心としてアームプレート３２を１８０°回動させると、アームプレート３２の立ち曲げ部３２ｃがベースプレート３１の突起部３１ｃに当接して、それ以上の回動が規制される。このとき、カバー部材２８は、カメラ本体１の背面カバー８０の凹形状部８０ａに収納される。
【００３１】
アームプレート３２を図４の状態から図３（ａ）に示す通常撮影時に戻す場合は、ベースプレート３１に対してアームプレート３２を表示ユニット２０とともに上側回動軸Ａを中心として図の時計回り方向（右方向）に回動させる。その際、アームプレート３２とカバー部材２８との接触摩擦によって、カバー部材２８も同方向に回動する。カバー部材２８は、図３（ａ）の状態に戻した際、ストッパ部２８ａがベースプレート３１の突起部３１ｃに当接して回動が規制される。なお、カバー部材２９については、カバー部材２８と同様であるため、その説明を省略する。
【００３２】
図５は、表示ユニット２０とカメラ本体１とを電気的に接続するフレキシブルプリント基板６５を示す平面図である。図５に示すように、フレキシブルプリント基板６５には、コネクタ６６ａ及びコネクタ６６ｂが実装されている。コネクタ６６ａ及びコネクタ６６ｂは、それぞれ表示ユニット２０の表示装置２１から配線されるフレキシブルプリント基板（不図示）に接続される。フレキシブルプリント基板６５の端部には、接続端子部６８が設けられ、接続端子部６８は、カメラ本体１の主基板に接続される。これにより、表示装置２１からの電気信号は、フレキシブルプリント基板６５の電子回路（不図示）を介してカメラ本体１の主基板に伝達される。
【００３３】
また、フレキシブルプリント基板６５のコネクタ６６ａ，６６ｂと接続端子部６８との間には、第１の折返し部６７ａ、第２の折返し部６７ｂ、及び第３の折返し部６７ｃが設けられている。第１の折返し部６７ａは、コネクタ６６ａ，６６ｂ側に配置され、図の下方から上方に向けて折り返される。
【００３４】
第１の折返し部６７ａが伸縮することによって、ヒンジ機構３０のスライド動作及び回転動作に応じたフレキシブルプリント基板６５の撓み量を吸収している。第２の折返し部６７ｂは、第１の折返し部６７ａの上方で下方に向けて折り返され、第３の折返し部６７ｃは、第２の折返し部６７ｂの下方で上方に向けて折り返されている。フレキシブルプリント基板６５の第１の折返し部６７ａと第２の折返し部６７ｂとの間には、位置決め穴６９ａ，６９ｂが形成されている。
【００３５】
次に、図６及び図７を参照して、表示ユニット２０について説明する。図６は、カメラ本体１の背面側から見たヒンジ機構３０と表示ユニット２０との関係を示す分解斜視図である。図７は、ヒンジ機構３０と表示ユニット２０との関係を示す分解斜視図である。
【００３６】
図６及び図７に示すように、表示ユニット２０の表示装置２１は、保護窓２１ｂの外形に沿って形成された両面テープ２３によって外装カバー２２に接着固定される。フレキシブルプリント基板６５は、表示装置２１の背面側に配置され、第１の折返し部６７ａよりコネクタ６６ａ，６６ｂ側の部分が不図示の両面テープによって表示装置２１に接着固定される。
【００３７】
遮光カバー２４は、外装カバー２２に対して表示装置２１の組み付け方向と逆方向から組み付けられ、複数箇所の両面テープ２６により表示装置２１に接着固定される。遮光カバー２４は、フレキシブルプリント基板６５が挿通する開口部２４ａを有し、開口部２４ａ以外で表示装置２１の４辺を覆うことで、表示装置２１を遮光及び補強する。
【００３８】
マグネット２７は、外装カバー２２に形成された凹部に収納されて接着固定される。マグネット２７は、カメラ本体１内に配置された磁気センサ（不図示）によって位置を検出され、表示ユニット２０の表示画面の切り替えスイッチとして機能する。
【００３９】
磁気センサは、一般的に磁気を検出する素子として、巨大磁気抵抗（Giant Magnet Resistance：ＧＭＲ）素子や半導体ホール素子が用いられている。ＧＭＲ素子は、磁気抵抗効果を利用して主面に平行な磁場を検出するデバイスであり、磁場が強いほど電気抵抗が増加する性質を有する合金（具体的には、ニッケル、鉄、コバルトを主成分とする合金）からなる。このＧＭＲ素子を判定回路に組み込んでＧＭＲセンサが形成される。本実施形態では、ＧＭＲ素子にしきい値を設定して、マグネット２７の位置によって変化する磁場を検出してスイッチとし、表示ユニット２０の表示画面を切り替えている。
【００４０】
表示ユニット２０が、閉位置から開方向に所定角度以上回動したことがＧＭＲセンサにより検出され、表示ユニット２０の表示画面が通常状態から上下反転した画像に切り替えられる。ＧＭＲセンサで検出された角度から略１８０°まで表示ユニット２０を回動させた状態となるまで表示画面は上下反転を維持する。この状態は、撮影光学系の撮影方向と表示ユニット２０の表示画面の方向が同一方向に向く為、撮影者が自分自身を撮影する、いわゆる自分撮り撮影に適している。
【００４１】
フレキガイド部材７０は、合成樹脂材料によって成形された部材であり、フレキガイド部材７０には、位置決めボス７１ａ，７１ｂ及び位置決めボス７２ａ，７２ｂが設けられる。位置決めボス７１ａ，７１ｂは、アームプレート３２の上辺部に形成された位置決め穴３２ｃ，３２ｄにそれぞれ嵌合されて位置決めされ、不図示の両面テープにて接着固定される。
【００４２】
フレキガイド部材７０及びアームプレート３２と表示装置２１との間には、フレキシブルプリント基板６５の第１の折返し部６７ａが配置される。また、表示ユニット２０が閉位置にあるとき、フレキシブルプリント基板６５の第２の折返し部６７ｂは、フレキガイド部材７０の先端部を跨ぐように折り返される。フレキガイド部材７０及びアームプレート３２とカメラ本体１の背面との間には、第３の折返し部６７ｃが配置される。フレキシブルプリント基板６５の第３の折返し部６７ｃは、カメラ本体１の背面カバーの下部に形成された穴を挿通して接続端子部６８がカメラ本体１の主基板に接続される。
【００４３】
フレキ押さえ部材７５は、合成樹脂材料によって成形された部材であり、フレキ押さえ部材７５には、孔７６ａ，７６ｂが形成されている。孔７６ａ，７６ｂは、ベースプレート３１に形成された孔３１ｄ，３１ｅにそれぞれ不図示のビス止めにて固定される。フレキシブルプリント基板６５の第２の折返し部６７ｂから第３の折返し部６７ｃまでの領域がベースプレート３１とフレキ押さえ部材７５との間に保持される。
【００４４】
次に、図８乃至図１５を参照して、カメラ本体１に対する表示ユニット２０のヒンジ機構３０を介したスライド動作及び回動動作について説明する。
【００４５】
図８は、表示ユニット２０が閉位置にあるときのカメラ本体１を背面側から見た斜視図である。表示ユニット２０の外装カバー２２の上辺部には、突起形状部２２ａが設けられ、下辺部には、窪み形状部２２ｂが形成されている。突起形状部２２ａは、下側回動軸Ｂを中心に表示ユニット２０を回動操作する際の撮影者の指掛け部となり、窪み形状部２２ｂは、上側回動軸Ａを中心に表示ユニット２０を回動操作する際の撮影者の指掛け部となる。表示ユニット２０の外装カバー２２の突起形状部２２ａの両側には、それぞれ開口部２２ｃが設けられ、開口部２２ｃからカバー部材２８，２９の一部が露出している。
【００４６】
図９（ａ）は図８の状態での表示ユニット２０の上側の断面図、図９（ｂ）は図８の状態での表示ユニット２０の下側の断面図である。
【００４７】
図９に示すように、フレキシブルプリント基板６５は、第２の折返し部６７ｂがフレキガイド部材７０の先端部を跨ぐように屈曲した状態で収納される。
【００４８】
図１０は、表示ユニット２０が図８に示す閉位置から下方向（矢印Ｃ方向）にスライド移動した状態をカメラ本体１の背面側から見た斜視図である。
【００４９】
上側回動軸Ａを中心として表示ユニット２０を回動操作する際、窪み形状部２２ｂに指を掛け、表示ユニット２０を撮影者側に引き出す。このとき、表示ユニット２０は、トーションばね３４の付勢力により、スライドプレート３３とともにアームプレート３２に対して下方向に所定量スライド移動する。この状態でカメラ本体１の上側回動軸Ａを中心に表示ユニット２０をスライドプレート３３及びアームプレート３２とともに開方向に回動操作することで、撮影者に対してカメラ本体１を低い位置に配置するローアングル撮影に適した傾斜配置とすることが出来る。
【００５０】
図１１（ａ）は表示ユニット２０の図１０に示す位置での上側の断面図、図１１（ｂ）は表示ユニット２０の図１０に示す位置での下側の断面図である。表示ユニット２０が矢印Ｃ方向にスライド移動することによって、フレキシブルプリント基板６５の第１の折返し部６７ａに対して矢印Ｄ方向の引っ張り力が作用する。
【００５１】
このとき、フレキシブルプリント基板６５の位置決め穴６９ａ，６９ｂには、それぞれフレキガイド部材７０の位置決めボス７２ａ，７２ｂが嵌合され、これにより、フレキシブルプリント基板６５が位置決め保持される。このため、表示ユニット２０が矢印Ｃ方向にスライド移動した場合においても、フレキシブルプリント基板６５が表示ユニット２０の内部に引き込まれる不具合を防止することができる。
【００５２】
本実施形態では、表示ユニット２０が矢印Ｃ方向にスライド移動した場合に、フレキシブルプリント基板６５において第１の折返し部６７ａが形成される領域が変化する構成となっている。また、表示ユニット２０のスライド移動の際、フレキガイド部材７０は、前述したように、アームプレート３２に固定されて、一部が外観に露出している。具体的には、フレキガイド部材７０は、先端部が上側回動軸Ａの中心の近傍位置に配置され、上側回動軸Ａの中心とフレキシブルプリント基板６５の第２の折返し部６７ｂが略同一位置となるようにアームプレート３２からの長さが調整されている。
【００５３】
図１２は、表示ユニット２０が図８に示す閉位置から略１８０°上方に回動した状態（開状態）をカメラ本体１の背面側から見た斜視図である。
【００５４】
表示ユニット２０を図１０に示すローアングルポジションから更に回動操作して、図１２に示すように、略１８０°の角度まで回動操作すると、表示ユニット２０の表示画面がカメラ本体１の上方位置で被写体側に向けられる。この状態では、いわゆる自分撮り撮影に適したポジションとなる。表示ユニット２０の表示画面がカメラ本体１の上方位置で被写体側を向く際に、前述した画面切り替えスイッチが作用して、表示画面が反転表示される。
【００５５】
図１３は、表示ユニット２０の図１２に示す開位置での要部断面図である。表示ユニット２０の図１０に示す位置から図１２に示す開位置への回動動作に伴い、フレキシブルプリント基板６５の第２の折返し部６７ｂが展開される。このとき、前述したように、フレキガイド部材７０によってフレキシブルプリント基板６５の展開された第２の折返し部６７ｂと上側回動軸Ａとは略同一位置に配置されている。このため、フレキシブルプリント基板６５は、表示ユニット２０内部から引き出される方向に力が作用することなく、第２の折返し部６７ｂが展開される。
【００５６】
また、表示ユニット２０の図１２に示す開位置では、フレキガイド部材７０によりフレキシブルプリント基板６５の第２の折返し部６７ｂの一部が覆われてフレキシブルプリント基板６５が外観に露出する領域を減少させることができる。このため、撮影者が不用意にフレキシブルプリント基板６５に触れるなどして信号線が断線する等の不具合を防止することができる。
表示ユニット２０を図１２に示す位置から図１０に示す開位置へ回動させる場合には、フレキシブルプリント基板６５が図１３に示す状態から図１１（ａ）に示す状態となる。このとき、フレキガイド部材７０の先端部にガイドされて、フレキシブルプリント基板６５の第２の折返し部６７ｂが形成される。すなわち、フレキガイド部材７０は、フレキシブルプリント基板６５の第２の折返し部６７ｂを展開した場合には、展開された第２の折返し部６７ｂが決められた位置に位置するように、フレキシブルプリント基板６５をガイドしている。また、展開された第２の折返し部６７ｂを再び折り返される場合には、決められた位置に第２の折返し部６７ｂが再び形成されるように、フレキシブルプリント基板６５をガイドしている。
【００５７】
図１４は、下側回動軸Ｂを中心に表示ユニット２０が所定角度回動した状態をカメラ本体１の背面側から見た図である。表示ユニット２０の上辺部の突起形状部２２ａに指を引っ掛けて、下側回動軸Ｂを中心に表示ユニット２０を開方向に回動操作すると、撮影者に対してカメラ本体１を高い位置に配置するハイアングル撮影に適した傾斜配置とすることが出来る。
【００５８】
図１５は、表示ユニット２０の図１４の位置での要部断面図である。表示ユニット２０の閉位置から下側回動軸Ｂを中心とした図１４に示す位置までの回動動作に伴い、フレキシブルプリント基板６５の第３の折返し部６７ｃが展開される。
【００５９】
このように表示ユニット２０のヒンジ機構３０を介したスライド動作及び回動動作により、表示ユニット２０を通常撮影・ローアングル撮影・ハイアングル撮影・自分撮り撮影等のそれぞれに適した位置に配置することができる。
【００６０】
以上説明したように、本実施形態では、表示ユニット２０とカメラ本体１とを電気的に接続するフレキシブルプリント基板６５を配線する際、表示ユニット２０のスライド移動量と１８０°の回動量を吸収するための機構を及びスペースが不要となる。
【００６１】
したがって、構造の複雑化や機器の大型化を招くことなく、表示ユニット２０の内部にカメラ本体１と表示ユニット２０とを接続するフレキシブルプリント基板６５を配置することができる。
【００６２】
なお、本発明の構成は、上記実施形態に例示したものに限定されるものではなく、材質、形状、寸法、形態、数、配置箇所等は、本発明の要旨を逸脱しない範囲において適宜変更可能である。
【符号の説明】
【００６３】
１  カメラ本体
２０  表示ユニット
２１  表示装置
３０  ヒンジ機構
３１  ベースプレート
３２  アームプレート
３３  スライドプレート
６５  フレキシブルプリント基板
６７ａ  第１の折返し部
６７ｂ  第２の折返し部
６９ａ，６９ｂ  位置決め穴
７０  フレキガイド部材
７２ａ，７２ｂ  位置決めボス
【図１】
2015141387.tif 000003
【図２】
2015141387.tif 000004
【図３】
2015141387.tif 000005
【図４】
2015141387.tif 000006
【図５】
2015141387.tif 000007
【図６】
2015141387.tif 000008
【図７】
2015141387.tif 000009
【図８】
2015141387.tif 000010
【図９】
2015141387.tif 000011
【図１０】
2015141387.tif 000012
【図１１】
2015141387.tif 000013
【図１２】
2015141387.tif 000014
【図１３】
2015141387.tif 000015
【図１４】
2015141387.tif 000016
【図１５】
2015141387.tif 000017
【図１６】
2015141387.tif 000018